(57)【要約】【課題】表示装置を有するヒンジ構造の携帯電話機等の携帯端末機器において、使用状態で路面等に落下させ衝撃が加えられた際に表示素子が破損するのを阻止する。【解決手段】携帯端末機器１０の受話部１１を構成する表面側ケース１５および裏面側ケース１９内に表示素子１６、ホルダ１７および基板１８を重ね合わせて収容する。表面側ケース１５にはリブ１５Ａが形成され、このリブ１５Ａには、収容される表示素子１６の４隅近傍に複数の凹部１５Ｂが形成され、衝撃に対する剛性を低下させる。【選択図】図４    
2005151376.tif 000002
【特許請求の範囲】
【請求項１】
送話部および受話部を有し、該受話部には、相互に嵌合する表面側ケースおよび裏面側ケース内に表示素子がホルダおよび基板と共に収容される携帯端末機器において、
前記受話部の表面側ケースに、前記表示素子の外周より大きいリブが形成され、該リブには該リブに沿って複数の凹部が形成されて、衝撃に対する剛性を低下させることを特徴とする携帯端末機器。
【請求項２】
前記複数の凹部の少なくとも１部は、前記表示素子の隅部近傍に形成されることを特徴とする請求項１に記載の携帯端末機器。
【請求項３】
前記複数の凹部は、前記表示素子の４隅近傍に形成された４個であることを特徴とする請求項１に記載の携帯端末機器。
【請求項４】
前記送話部および前記受話部がヒンジにより相互に回転可能に形成された携帯電話機であることを特徴とする請求項１、２又は３に記載の携帯端末機器。
【請求項５】
表示素子が搭載された携帯端末機器において、
前記表示素子を収容するケースの外周に沿って複数の凹部が形成されて成ることを特徴とする携帯端末機器。
【請求項６】
複数の凹部は前記ケースの４隅に形成されていることを特徴とする請求項５に記載の携帯端末機器。
【請求項７】
前記ケースは、該ケースとは別のケースと相互にヒンジにより回転可能に連結されていることを特徴とする請求項５または６に記載の携帯端末機器。
【発明の詳細な説明】
【技術分野】
【０００１】
本発明は携帯端末装置に関し、特に誤って落下した場合等の大きな衝撃から保護することが可能な表示素子を備える携帯端末機器に関する。
【背景技術】
【０００２】
携帯電話、ＰＨＳ(Personal Handy-phone System)およびＰＤＡ(Personal Digital Assistant:携帯情報端末)等の携帯端末機器が通話および各種情報の送受信のために開発され、広く使用されている。
【０００３】
斯かる携帯端末機器は、送受信する情報を表示するマン・マシンインタフェースとして、一般に液晶表示パネル（ＬＣＤ）等の表示装置を備えている。増大する送受信情報量に対処するために、斯かる表示装置の表示画面は益々大型化し、例えばインターネット等のネットワーク又はホストコンピュータ等にアクセスして取得する多量の文字又は図形（写真を含む）情報を効果的に表示可能にしている。
【０００４】
斯かる技術分野における従来技術として、表示装置の表示窓が嵌め込まれる枠部の厚さを工夫して、外部からの衝撃力や押圧力により筺体が撓んでも液晶表示装置の破損を軽減する液晶表示付き電子機器が開示されている（例えば、特許文献１参照。）。また、内部衝撃緩衝気候を設け、衝撃が加えられた場合の損傷を防止する携帯情報端末装置およびフラットパネルィデスプレイの指示構造および電子機器が開示されている（例えば、特許文献２および特許文献３参照。）。また、携帯電話機等の電子機器に搭載する液晶表示素子の保護強度を向上させる液晶表示素子の保持構造およびこれを備えた電子機器が開示されている（例えば、特許文献４参照。）。更に、外観に金属を露出させないで折畳み構造にした折り畳み式携帯電話機が開示されている（例えば、特許文献５参照。）。
【特許文献１】特開２０００−１２２０３７号公報（第３頁、第１図、第２図）
【特許文献２】特開２００１−１７５６０８号公報（第２−３頁、第１図、第２図）
【特許文献３】特開２００２−２７８４６７号公報（第４頁、第１図）
【特許文献４】特開２００１−２７２６６０号公報（第３−４頁、第１図）
【特許文献５】特開２００２−５１１３２号公報（第３頁、第１図）
【０００５】
上述の公知文献に開示される如く、携帯電話機等の携帯端末機器は、折畳み型に構成されるものがある。例えば、図５に示す従来の携帯電話機２０は、受話部２１および送話部２２がヒンジ部Ｈにより連結されている。受話部２１には液晶表示パネル等の表示部２３が配置され、送話部２２には複数のキースイッチ２４が配置されている。
【０００６】
この携帯電話機２０の受話部２１は、例えば図６に断面図で示す如く、表ケース２５、表示素子２６、ホルダ２７、基板２８および裏ケース２９により構成されるのが一般的である。ここで、ホルダ２７は、基板２８に取り付けられると共に液晶表示パネル等の表示素子２６を、表側（即ち、基板２８と反対側）に保持する。表ケース２５は、表示素子２６を保護すると共に、少なくとも表示素子２６の表示面に対応する部分が透明な材料で形成され、この表示面に表示される文字や図形をユーザ（又は使用者）が見ることを可能にする。
【０００７】
上述の如く構成された携帯電話機２０にあっては、例えば通話中にユーザが誤って落下させて路面Ｇ等に衝突させた場合に、その衝撃により図６に示す如く表示素子２６が撓むことになる。そして、この撓みによる変形量が一定の限界を超えると、表示素子２６に破損を生じる虞がある。
【０００８】
斯かる表示素子２６の破損の発生を防止するために、上述した特許文献４の従来技術によると、図７に示す如き構成とされている。即ち、表示素子２６を保持固定するホルダ２７の裏面には、複数（例えば２本）のピン３０Ａ−３０Ｂが植立され、基板２８に形成された孔３１Ａ−３１Ｂに嵌合させる。また、略矩形状のホルダ２７は、表示素子２６を保持した状態で表示素子２６の外周に位置する側壁部３２Ａ−３２Ｂを有する。これら側壁部３２Ａ−３２Ｂの側面３３Ａ〜３３Ｃと表示素子２６を載置する底面の交差する角部に上述したピン３０Ａ−３０Ｂが形成されている。そして、このホルダ２７に載置される表示素子２６は、フレキシブル基板２６Ａ−２６Ｂ等を介して基板２８上に配置された駆動部（ドライバ）と相互接続される。
【発明の開示】
【発明が解決しようとする課題】
【０００９】
しかし、上述の如き従来技術は、幾つかの課題を有する。第１に、表示面積の大型化が困難である。その理由は、表示素子の保護が不十分であるからである。従来の保護手段は、ホルダの外周の剛性が高い部分にピンを設けることで表示素子を保護している。しかし、落下等の大きな衝撃を受けた場合には、折畳み型の携帯端末は、図６に示す如き変形を生じるために、ホルダ中央部の保護対策が施されていない従来技術では、表示面積の大型化による表示素子撓み量が増大し、表示素子が破壊される虞がある。
【００１０】
第２に、携帯端末機器の薄型化が困難である。その理由は、表示素子の保護が不十分であるためである。上述の場合と同様に、ホルダの中央部の保護対策が施されていない従来技術では、機器の薄型化による機器全体の剛性の低下に伴い、表示素子の撓み量が増加するのを阻止するために全体を厚くして補強する必要があるためである。
【００１１】
本発明は、従来技術の上述した課題に鑑みなされたものであり、斯かる課題を克服又は軽減する携帯端末機器を提供することを本発明の目的とする。
【課題を解決するための手段】
【００１２】
前述の課題を解決するため、本発明による携帯端末機器は、次のような特徴的な構成を採用している。
【００１３】
（１）送話部および受話部を有し、該受話部には、相互に嵌合する表面側ケースおよび裏面側ケース内に表示素子がホルダおよび基板と共に収容される携帯端末機器において、
前記受話部の表面側ケースに、前記表示素子の外周より大きいリブが形成され、該リブには該リブに沿って複数の凹部が形成されて、衝撃に対する剛性を低下させる携帯端末機器。
【００１４】
（２）前記複数の凹部の少なくとも１部は、前記表示素子の隅部近傍に形成される上記（１）に記載の携帯端末機器。
【００１５】
（３）前記複数の凹部は、前記表示素子の４隅近傍に形成された４個である上記（１）に記載の携帯端末機器。
【００１６】
（４）前記送話部および前記受話部がヒンジにより相互に回転可能に形成された携帯電話機である上記（１）、（２）又は（３）に記載の携帯端末機器。
【００１７】
（５）表示素子が搭載された携帯端末機器において、
前記表示素子を収容するケースの外周に沿って複数の凹部が形成されて成る携帯端末機器。
【００１８】
（６）複数の凹部は前記ケースの４隅に形成されている上記（５）の携帯端末機器。
【００１９】
（７）前記ケースは、該ケースとは別のケースと相互にヒンジにより回転可能に連結されている上記（５）または（６）の携帯端末機器。
【発明の効果】
【００２０】
本発明の携帯端末機器によると、次の如き実用上の顕著な効果を有する。即ち、インターネットにアクセスして大量にデータの送受信を行う又はＣＣＤカメラを内蔵して写真等を送受信する携帯端末機器が必要とする表示画面の大型化が可能である。また、薄型化が可能であり、携帯電子機器に必要な軽量化等に寄与する。
【実施例１】
【００２１】
次に、本発明による携帯端末機器の好適実施例である携帯電話機の構成および動作を、添付図面を参照して詳細に説明する。
【００２２】
先ず、図１は、本発明による携帯端末機器の好適実施例の携帯電話機の外観を示す斜視図である。この携帯電話機１０は、相互にヒンジＨにより回転可能に連結された受話部１１および送話部１２により構成される。受話部１１には液晶表示パネル（ＬＣＤ）等の比較的大型の表示装置１３が配置されている。一方、送話部１２には、キースイッチ１４が配置されている。従って、この携帯電話機１０は、図５に示す従来の携帯電話機１０と、外観上は大差ない構成である。
【００２３】
次に、図２は、本発明による携帯電話機１０の受話部１１の詳細内部構成を示す分解斜視図である。図２に示す如く、本発明の携帯電話機１０の受話部１１は、表示素子１６、ホルダ１７、基板１８、表面側ケース１５および裏面側ケース１９により構成される。組立状態では、表示素子１６、ホルダ１７および基板１８は、相互に嵌合された表面側ケース１５および裏面側ケース１９内に収納される。尚、周知の如く、受話部１１には収縮可能なアンテナ（図示せず）およびスピーカ（図示せず）が設けられ、送話部１２にはマイク（図示せず）が設けられている。
【００２４】
図２において、表示素子１６は、携帯電話機１０の受話部１１の表面側ケース１５の上方に配置されている。ホルダ１７は、表示素子１６の側壁の４面および裏面を包囲するように形成されている。基板１８は、ホルダ１７の上方に実装されている。また、基板１８の上方には、受話部１１の裏面側ケース１９が配置される。受話部１１の表面側ケース１５の外周には、連続したリブ１５Ａが形成されている。また、このリブ１５Ａには、それに沿って複数の凹部（又は切り欠き）１５Ｂが形成されている。この凹部１５Ｂは、好ましくは表示素子１６の４隅近傍位置に、例えば４個形成されている。また、この凹部１５Ｂの形状は、必要とする衝撃に対する剛性を低下させる任意形状でよく、例えばＵ字状又はＶ字状であってもよい。
【００２５】
次に、図１および図２の如く構成された携帯電話機１０を、ユーザが誤って路面（又は固い床面）Ｇ等に落下して大きな衝撃を受けた際の挙動について、図３および図４を参照して説明する。図３は、通常の使用状態における携帯電話機１０の部分断面図である。図４は、携帯電話機１０を路面Ｇに落下して衝撃を受けた際における携帯電話機１０の部分断面図である。
【００２６】
図３が示す如く、通常の使用状態において、携帯電話機１０は、ヒンジＨを中心に受話部１１および送話部１２を相互に回転して開く。そして、ユーザは、送話部１２のキースイッチ１４を操作して通話又は通信したい相手の電話番号を入力する。そして、上述したアンテナを介して基地局（図示せず）との無線通信回線が接続されると、ユーザは、送話部１２のマイクを介して送話し、受話部１１のスピーカを介して相手の声を聞き取る。また、インターネット等との通信の際には、受信した文字又は図形データ又は情報を、表示素子１６に表示する。尚、この表示素子１６は、ユーザがキースイッチ１４を操作して番号等を入力すると、入力された番号等を表示してユーザが確認可能にしている。また、この携帯電話機１０は、不使用状態（又は収納時）には、受話部１１および送話部１２を、ヒンジＨを中心に回転して折畳み、コンパクトにすると共に表示装置１３の表示面を保護する。
【００２７】
次に、図４に示す如く、図３に示す通常状態の携帯電話機１０を、ユーザが誤って地面Ｇに落下させた際には、受話部１１の先端部１１Ａと送話部１２の先端部１２Ａが最初に路面Ｇに接触する。そのため、地面Ｇと衝突した携帯電話機１０は、受話部１１の先端部１１Ａと送話部１２の先端部１２Ａを支点として重力方向（即ち、図４中の下方向）へ撓むこととなる。
【００２８】
表示素子１６が配置されている受話部１１において、受話部１１の表面側ケース１５の外周に形成されたリブ１５Ａに形成されている複数の凹部１５Ｂによって、受話部１１の表面側ケース１５は、凹部１５Ｂにおいて極端に剛性が低下（即ち、可撓性が増加）している。そのため、落下時の衝撃を受けた携帯電話機１０は、受話部１１の表面側ケース１５の外周に設けられたリブ１５Ａに形成された複数の凹部１５Ｂで大きな内部応力が発生する。携帯電話機１０は、図４に示す如く、凹部１５Ｂにて適度に屈曲することとなる。このため、受話部１１に配置されている表示素子１６には大きな内部応力が発生することがなくなり、表示素子１６自体の撓み量は大幅に軽減されることとなる。
【００２９】
上述した特定の構成により、本発明による携帯電話機１０の受信部１１のホルダ１７および表示素子１６は、落下等による外部からの衝撃力に対する撓みを効果的に抑え、表示素子１６の破壊等の発生を回避できる。
【００３０】
以上、本発明による携帯端末機器の好適実施例の構成および動作を詳述した。しかし、斯かる実施例は、本発明の単なる例示に過ぎず、何ら本発明を限定するものではない。本発明の要旨を逸脱することなく、特定用途に応じて種々の変形変更が可能であること、当業者には容易に理解できよう。
【図面の簡単な説明】
【００３１】
【図１】本発明による携帯端末機器の好適実施例である折り畳み型携帯電話機の使用状態における外観を示す斜視図である。
【図２】図１に示す携帯電話機の受話部の詳細内部構成を示す分解斜視図である。
【図３】図１に示す携帯電話機の使用状態における部分断面図である。
【図４】図３に示す携帯電話機を路面に落下させた場合の状態を示す部分断面図である。
【図５】従来の携帯電話機の使用状態における斜視図である。
【図６】図５に示す携帯電話機を路面に落下させた場合の部分断面図である。
【図７】図５に示す携帯電話機の表示素子およびホルダの分解斜視図である。
【符号の説明】
【００３２】
１０    携帯端末機器（携帯電話機）
１１    受話部
１２    送話部
１３    表示装置
１４    キースイッチ
１５    表面側ケース
１５Ａ  リブ
１５Ｂ  凹部
１６    表示素子
１７    ホルダ
１８    基板
１９    裏面側ケース
Ｈ      ヒンジ
Ｇ      路面
【図１】
2005151376.tif 000003
【図２】
2005151376.tif 000004
【図３】
2005151376.tif 000005
【図４】
2005151376.tif 000006
【図５】
2005151376.tif 000007
【図６】
2005151376.tif 000008
【図７】
2005151376.tif 000009